(57)【要約】【課題】複数の画像信号を統合して画像を表示する場合に、当該画像をより高品質に表示するように制御することを可能にする。【解決手段】表示制御装置は、第１画像信号に基づいた第１画像と第２画像信号に基づいた第２画像とを統合した統合画像を表示面に表示するように制御する表示制御装置であって、前記第１画像信号を受信する入力手段と、前記第１画像信号の有効期間内にメタデータが含まれているか否かを判定する判定手段と、前記第１画像信号の有効期間内に前記メタデータが含まれると前記判定手段が判定しており、かつ、前記第１画像と前記第２画像との位置関係が所定の場合であれば、前記第１画像の表示領域内での表示位置を移動させる表示制御手段とを有する。【選択図】図９
2020173353.tif 000002
【特許請求の範囲】
【請求項１】
第１画像信号に基づいた第１画像と第２画像信号に基づいた第２画像とを統合した統合画像を表示面に表示するように制御する表示制御装置であって、
前記第１画像信号を受信する入力手段と、
前記第１画像信号の有効期間内にメタデータが含まれているか否かを判定する判定手段と、
前記第１画像信号の有効期間内に前記メタデータが含まれると前記判定手段が判定しており、かつ、前記第１画像と前記第２画像との位置関係が所定の場合であれば、前記第１画像の表示領域内での表示位置を移動させる表示制御手段と、
を有する、
ことを特徴とする表示制御装置。
【請求項２】
前記表示制御手段は、前記第１画像と前記第２画像とが連続的に表示されるように、前記表示位置を移動させる、
ことを特徴とする請求項１に記載の表示制御装置。
【請求項３】
前記表示制御手段は、データの有効期間を示す信号を制御することによって前記有効期間を変更して前記表示位置を移動させる、
ことを特徴とする請求項１または請求項２に記載の表示制御装置。
【請求項４】
前記第１画像信号に基づいた画像データを記憶するフレームメモリと、
前記画像データに基づいて、前記第１画像を表示するための画像処理を行う画像処理手段と、
を有し、
前記表示制御手段は、前記フレームメモリから前記画像データを前記画像処理手段が読み出す位置を制御することによって前記表示位置を移動させる、
ことを特徴とする請求項１または請求項２に記載の表示制御装置。
【請求項５】
前記表示制御手段は、
前記表示位置を移動させる場合には、前記表示領域のうち前記第２画像から最も離れた１つのラインを固定色によって表示するように制御をする、
ことを特徴とする請求項１から４のいずれか１項に記載の表示制御装置。
【請求項６】
前記所定の場合とは、前記第１画像が、前記表示面において前記第２画像の下に位置する場合である、
ことを特徴とする請求項１から５のいずれか１項に記載の表示制御装置。
【請求項７】
画像を表示面に対して投影する投影手段と、
請求項１から６のいずれか１項に記載の表示制御装置と、
を有する、
ことを特徴とする投影装置。
【請求項８】
第１画像信号に基づいた第１画像と第２画像信号に基づいた第２画像とを統合した統合画像を表示面に表示するように制御する表示制御方法であって、
前記第１画像信号を受信する入力工程と、
前記第１画像信号の有効期間内にメタデータが含まれているか否かを判定する判定工程と、
前記第１画像信号の有効期間内に前記メタデータが含まれると前記判定工程にて判定されており、かつ、前記第１画像と前記第２画像との位置関係が所定の場合であれば、前記
第１画像の表示領域内での表示位置を移動させる表示制御工程と、
を有する、
ことを特徴とする表示制御方法。
【請求項９】
コンピュータを、請求項１から６のいずれか１項に記載の表示制御装置の各手段として機能させるためのプログラム。
【発明の詳細な説明】
【技術分野】
【０００１】
本発明は、表示制御装置、表示制御方法、プログラムに関する。
【背景技術】
【０００２】
近年、表示装置による表示の高解像度化が進んでいる。このような表示装置の表示に用いられる高解像度の画像信号（映像信号）は、一般に高ビットレートであり、伝送速度の高速化が要求される。一方で、高速化によって伝送する信号の品質劣化が発生するため、画像ソース機器と表示装置との接続用ケーブル長を引き延ばすことが困難である場合がある。
【０００３】
この状況に対し、所望の高解像度の画像信号を空間的に分割し、分割した複数の画像信号のそれぞれを複数の異なるケーブルによって伝送する方法がある。例えば、画像ソース機器は、１枚の統合画像を２列×２行の４枚の画像信号として分割し、分割した各画像信号を複数のケーブルを介して表示装置に送信する。表示装置は、分割された各画像信号を結合し、高解像度の統合画像を復元して表示する。
【０００４】
また、これらの画像信号は、画像の色空間やビット深度などの属性を示す情報（メタデータ）が重畳されて、伝送されることがある。例えば、特許文献１に記載のように、表示画素データが伝送される期間（有効期間）の最初の画像ラインに重畳され伝送される。このような画像信号を受信した表示装置は、最初の画像ラインからメタデータを取得し、メタデータに基づく処理を行う。
【先行技術文献】
【特許文献】
【０００５】
【特許文献１】特開２００２−１４９１４２号公報
【発明の概要】
【発明が解決しようとする課題】
【０００６】
しかしながら、複数の画像信号から１枚の統合画像を表示する構成において、各画像信号における最初の画像ラインにメタデータが重畳される場合、統合画像の繋ぎ目に黒などの固定色ラインが表示されてしまうケースが想定される。これは、有効期間におけるメタデータが取得された期間には、黒画像を表示するように制御されるためである。このような場合には、統合画像における表示品位の低下が生じる恐れがある。
【０００７】
例えば、２列×２行に分割された画像の場合、図１０（Ａ）が示すように、２行目の２枚の画像の上に黒色などの固定色ラインが表示され、１行目の２枚の画像との境界が強調される可能性がある。
【０００８】
そこで、本発明では、複数の画像信号を統合して画像を表示する場合に、当該画像をより高品質に表示するような制御を可能にすることを目的とする。
【課題を解決するための手段】
【０００９】
本発明の第１の態様は、
第１画像信号に基づいた第１画像と第２画像信号に基づいた第２画像とを統合した統合画像を表示面に表示するように制御する表示制御装置であって、
前記第１画像信号を受信する入力手段と、
前記第１画像信号の有効期間内にメタデータが含まれているか否かを判定する判定手段
と、
前記第１画像信号の有効期間内に前記メタデータが含まれると前記判定手段が判定しており、かつ、前記第１画像と前記第２画像との位置関係が所定の場合であれば、前記第１画像の表示領域内での表示位置を移動させる表示制御手段と、
を有する
ことを特徴とする表示制御装置である。
【００１０】
本発明の第２の態様は、
第１画像信号に基づいた第１画像と第２画像信号に基づいた第２画像とを統合した統合画像を表示面に表示するように制御する表示制御方法であって、
前記第１画像信号を受信する入力工程と、
前記第１画像信号の有効期間内にメタデータが含まれているか否かを判定する判定工程と、
前記第１画像信号の有効期間内に前記メタデータが含まれると前記判定工程にて判定されており、かつ、前記第１画像と前記第２画像との位置関係が所定の場合であれば、前記第１画像の表示領域内での表示位置を移動させる表示制御工程と、
を有する
ことを特徴とする表示制御方法である。
【発明の効果】
【００１１】
本発明によれば、複数の画像信号を統合して画像を表示する場合に、当該画像をより高品質に表示することができる。
【図面の簡単な説明】
【００１２】
【図１】実施形態１に係るシステムを示す外観図である。
【図２】実施形態１に係るプロジェクタの構成図である。
【図３】実施形態１に係るＰＣの構成図である。
【図４】実施形態１に係るシステムの投影処理を示すフローチャートである。
【図５】実施形態１に係るレイアウトを決定するための画面を示す図である。
【図６】実施形態１に係るレイアウトの例を示す図である。
【図７】実施形態１に係る画像信号制御部の内部構成図である。
【図８】実施形態１に係る同期信号を説明する図である。
【図９】実施形態１，２に係る画像信号の制御処理を示すフローチャートである。
【図１０】統合画像の表示を示す図である。
【発明を実施するための形態】
【００１３】
以下に、本発明を実施するための形態について詳細に説明する。なお、以下に説明する実施の形態は、本発明を実現するための一例であり、本発明が適用される装置の構成や各種条件によって適宜修正または変更されるべきものであり、本発明は以下の実施の形態に限定されるものではない。また、後述する各実施形態の一部を適宜組み合わせて構成してもよい。
【００１４】
＜実施形態１＞
本実施形態では、本発明を適用した表示装置としてプロジェクタ（投影装置）を例に挙げて、発明を実施するためのシステム１を説明する。システム１は、図１に示すように、プロジェクタ１００と、画像ソース機器であるＰＣ（Ｐｅｒｓｏｎａｌ  Ｃｏｍｐｕｔｅｒ）２００Ａ〜２００Ｄとを有する。
【００１５】
プロジェクタ１００は、ＰＣ２００Ａ〜２００Ｄから入力される画像信号を結合して、スクリーン６００（表示面）に対して統合画像５００として投影（表示）する。なお、統
合画像５００は、部分画像５０１〜５０４が統合されることによって構成されている。また、プロジェクタ１００は、画像入力部１１０〜１１３を有し、それぞれに対して、画像信号が入力される。なお、プロジェクタ１００の投影対象は、スクリーン６００に限らず、画像を投影可能な表示面を有していれば、バルーンや建物など任意の投影対象物であってよい。
【００１６】
ＰＣ２００Ａは、画像入力部１１０に対して画像信号を入力する。ここで、ＰＣ２００Ａが入力する画像信号は、部分画像５０１を投影するための画像信号である。
ＰＣ２００Ｂは、画像入力部１１１に対して画像信号を入力する。ここで、ＰＣ２００Ｂが入力する画像信号は、部分画像５０２を投影するための画像信号である。
ＰＣ２００Ｃは、画像入力部１１２に対して画像信号を入力する。ここで、ＰＣ２００Ｃが入力する画像信号は、部分画像５０３を投影するための画像信号である。
ＰＣ２００Ｄは、画像入力部１１３に対して画像信号を入力する。ここで、ＰＣ２００Ｄが入力する画像信号は、部分画像５０４を投影するための画像信号である。
【００１７】
［プロジェクタの構成］
以下、プロジェクタ１００の構成の詳細について、図２が示す構成図を用いて説明する。プロジェクタ１００は、制御部１０１、操作部１０２、電源部１０３、液晶部１０４、液晶駆動部１０５、光源１０６、投影光学系１０７、光源制御部１０８、光学制御部１０９を有する。また、プロジェクタ１００は、画像入力部１１０〜１１３、ＵＳＢインターフェース１１４、カードインターフェース１１５、通信部１１６、ＲＡＭ１１７、画像処理部１１８を有する。プロジェクタ１００は、傾きセンサ１１９、タイマ１２０、温度計１２１、赤外線受信部１２２，１２３、焦点検出部１２４、撮像部１２５、スクリーン測光部１２６を有する。さらに、プロジェクタ１００は、表示部１２８、表示処理部１２９、バッテリ１３０、電源入力部１３１、冷却部１３２、ファイル再生部１３３、内部メモリ１３４、画像信号制御部１３５，１３６を有する。
【００１８】
制御部１０１は、プロジェクタ１００の各機能部を制御するための制御部である。制御部１０１は、各機能部とバス（不図示）によって接続されており、各機能部への制御指示やデータのやり取りなどのアクセスを行うことができる。
【００１９】
操作部１０２は、ユーザからの操作を受け付ける。操作部１０２は、ユーザの操作を受け付けるために、ボタンやダイアル、タッチパネルなどを含み得る。
【００２０】
電源部１０３は、バッテリ１３０や電源入力部１３１と接続されており、プロジェクタ１００の各機能部への電源供給を制御する。
【００２１】
液晶部１０４は、１枚の液晶パネルや３枚の液晶パネルなどで構成されており、画像信号に基づいて液晶パネル上に画像を形成する。
【００２２】
液晶駆動部１０５は、画像処理部１１８により得られた画像信号に基づいて、液晶部１０４の液晶パネルに画像を形成させる。なお、画像処理部１１８は、必要な処理を施した画像信号をＲＡＭ１１７に記憶させておき、ＲＡＭ１１７から画像信号を適切なタイミングで読み出すことによって液晶駆動部１０５に画像信号を出力する。
光源１０６は、液晶部１０４に光を供給する。
【００２３】
投影光学系１０７は、光源１０６から発せられた光を液晶部１０４に供給することにより得られた光学像を投影する投影部である。
光源制御部１０８は、光源１０６の光量などを制御する。
光学制御部１０９は、投影光学系１０７のズームレンズやフォーカスレンズなどの動作
を制御し、ズーム倍率や焦点調整などを行う。
【００２４】
画像入力部１１０〜１１３は、ＰＣ、プレーヤなどの外部装置から画像信号を受信する。例えば、画像信号の受け付けには、ＨＤＭＩ（登録商標；Ｈｉｇｈ−Ｄｅｆｉｎｉｔｉｏｎ  Ｍｕｌｔｉｍｅｄｉａ  Ｉｎｔｅｒｆａｃｅ）インターフェースなどを適用することが可能である。
【００２５】
また、画像入力部１１０〜１１３は、プロジェクタ１００が受信可能な画像フォーマットに関する情報を示すＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保持している。画像入力部１１０〜１１３は、外部装置からの要求に基づいてＥＤＩＤの通知を行うことが可能である。従って、外部装置は、基本的な動作として、ＥＤＩＤに含まれる解像度やフレームレートなどの信号タイミング情報、ビット深度などの情報を読み出し、読み出した情報に基づいて画像信号を出力する。
【００２６】
また、画像入力部１１０〜１１３は、外部装置との接続ライン内にＨＰＤ（Ｈｏｔ  Ｐｌｕｇ  Ｄｅｔｅｃｔ）を有している。画像入力部１１０〜１１３は、ＨＰＤを介して、外部装置に対しケーブルが接続されたことを通知することができる。
【００２７】
また、画像入力部１１０〜１１３は、ＨＤＣＰ（Ｈｉｇｈ−Ｂａｎｄｗｉｄｔｈ  Ｄｉｇｉｔａｌ  Ｃｏｎｔｅｎｔ  Ｐｒｏｔｅｃｔｉｏｎ）などの著作権保護を目的とした暗号化方式の復号を行うことも可能である。画像入力部１１０〜１１３は、暗号化された画像信号を受信した場合には、所定の手順に基づいて復号する。そして、画像入力部１１０は、ＨＤＭＩインターフェースにて採用されているＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式に基づいて、画像信号を他の機能部へ出力する。
【００２８】
ＵＳＢインターフェース１１４（Ｉ／Ｆ）は、外部装置と各種通信を行うためのインターフェースである。ＵＳＢインターフェース１１４は、ＵＳＢ（Ｕｎｉｖｅｒｓａｌ  Ｓｅｒｉａｌ  Ｂｕｓ）規格にて規定されている各種転送モードをサポートしている。
カードインターフェース１１５（Ｉ／Ｆ）は、記憶媒体であるメモリカードなどが接続されるインターフェースである。
【００２９】
通信部１１６は、イントラネット、インターネットから画像データ（映像データ）、画像ファイルなどの各種の情報データのファイル、その他の命令信号を送受信する。通信部１１６は、例えば、有線ＬＡＮや無線ＬＡＮによってインターネットなどと接続される。
ＲＡＭ１１７は、内部メモリ１３４に記憶されているプログラムの展開や投影画像のフレームメモリなどに使用される。
【００３０】
画像処理部１１８は、液晶部１０４が有する液晶パネルの画素数にあわせて画像信号が含む画像データの画素数を変換する。また、画像処理部１１８は、液晶パネルの交流駆動のため、入力された画像信号のフレーム数を倍にし、液晶パネルによる画像形成に適した補正などの処理を行う。また、画像処理部１１８は、画像信号に含まれる水平同期信号、垂直同期信号などに基づき、表示開始位置を測定する。
【００３１】
なお、液晶パネルの交流駆動とは、液晶パネルの液晶にかける電圧の方向を交互に入れ替えて表示させる方法である。この方法は、液晶パネルが、液晶にかける電圧の方向が正方向でも逆方向でも画像を生成（表示）できる性質を利用したものである。このとき、液晶駆動部１０５は、正方向用の画像データと、逆方向用の画像データとを１枚ずつ出力する必要があるので、画像処理部１１８は、画像信号のフレームの数を倍にする処理を行う。
【００３２】
また、画像処理部１１８は、画像データの拡大や縮小、レイアウト（表示レイアウト）の変更、２つ以上の画像信号（画像データ）の統合や、ユーザによる指示を受け付けるためのＯＳＤ（Ｏｎ  Ｓｃｒｅｅｎ  Ｄｉｓｐｌａｙ）メニューの重畳処理も行う。なお、２つ以上の画像信号の統合について、画像処理部１１８は、画像入力部１１０〜１１３から受信する各画像信号を統合する際の配置制御も可能である。
【００３３】
さらに、画像処理部１１８は、プロジェクタ１００がスクリーン６００に対して斜め方向から画像を投影することによって投影画像が例えば台形状に歪んでしまう場合に、台形状の歪みを打ち消すように画像の形状を変形させるキーストーン補正も行う。画像処理部１１８は、キーストーン補正をする際には、液晶パネルに表示される画像の水平方向および／または垂直方向の拡大／縮小率を変更している。
【００３４】
これによれば、投影する画像の台形状の歪みと表示素子上での画像領域の歪みが相殺され、正常なアスペクト比の長方形の画像表示領域に近づくようにして、投影画像をスクリーン６００に表示させることができる。なお、キーストーン補正は、傾きセンサ１１９により得られた傾き角に基づいて行われてもよく、ユーザが操作部１０２などを操作することにより行われてもよい。
【００３５】
傾きセンサ１１９は、プロジェクタ１００の傾きを検出する。
タイマ１２０は、プロジェクタ１００の動作時間、各機能部の動作時間などを検出する。
温度計１２１は、プロジェクタの光源１０６の温度、液晶部１０４の温度、外気温などを計測する。
【００３６】
赤外線受信部１２２，１２３は、プロジェクタ１００付属のリモコンやその他の機器からの赤外線を受信し、制御部１０１に信号を送る。赤外線受信部１２２，１２３は、例えば、プロジェクタ１００の前後方向などの複数箇所にそれぞれ設置されている。
【００３７】
焦点検出部１２４は、プロジェクタ１００とスクリーン６００の距離を検出し、焦点距離を検出する焦点検出部である。
撮像部１２５は、スクリーン６００の方向を撮像する。
【００３８】
スクリーン測光部１２６は、スクリーン６００により反射される光の光量や輝度を計測する。スクリーン測光部１２６は、光源１０６の出力光量、プロジェクタ１００とスクリーン６００の距離、投影光学系１０７のズーム状態などから輝度を算出し保持する。
【００３９】
具体的には、焦点検出部１２４などの距離センサが、プロジェクタ１００からスクリーン６００までの距離を測定する。そして、スクリーン測光部１２６は、測定した距離と、予め記憶している投影光学系１０７のズーム状態と、距離に対する投影サイズの関係とから、投影面積を算出する。そして、スクリーン測光部１２６は、光源１０６が放射する光度（光の強度）と投影面積とに基づき輝度を算出するとよい。
【００４０】
表示部１２８は、プロジェクタ１００本体に配置され、プロジェクタ１００の状態や警告などを表示する。
表示処理部１２９は、表示部１２８を制御する。
【００４１】
バッテリ１３０は、プロジェクタ１００本体を持ち運んで使用するときなどに、電源部１０３に電力を供給する。つまり、電源入力部１３１が外部の電源と接続されていない場合に、バッテリ１３０は、電源部１０３に電力を供給する。
電源入力部１３１は、外部の電源からの交流電力を受け入れ、所定の電圧に整流して電源部１０３に供給する。
【００４２】
冷却部１３２は、プロジェクタ１００内の熱を外部に放出するなどして、冷却する。冷却部１３２は、例えば、ヒートシンクとファンにより構成されている。
ファイル再生部１３３は、制御部１０１に指示に基づきエンコードされたファイルデータなどをデコードする。
【００４３】
内部メモリ１３４は、画像データ、ユーザ設定データなどの各種の情報データのファイル、制御部１０１が各機能部を制御するためのプログラムを保存する。内部メモリ１３４は、半導体メモリやハードディスクなどで構成される。
【００４４】
画像信号制御部１３５，１３６は、画像入力部１１０〜１１３から入力される画像信号を、画像処理部１１８に入力するための形式に変換する。なお、画像信号制御部１３５，１３６は、変化した画像信号を画像処理部１１８に出力する。また、画像信号制御部１３５，１３６は、画像信号に含まれる同期信号の出力タイミングの制御などを行う。なお、画像信号制御部１３５，１３６は、互いに同様の処理を行う。
【００４５】
［ＰＣの構成］
次に、図３の構成図を用いて、ＰＣ２００Ａ〜２００Ｄの主要な構成について説明する。なお、ＰＣ２００Ａ〜２００Ｄは、それぞれ互いに同様の内部構成を有する。また、以降、ＰＣ２００と称する場合は、ＰＣ２００Ａ〜ＰＣ２００Ｄのいずれかを示す。ＰＣ２００は、制御部２０１、光学ドライブ２０２、操作部２０３、電源部２０４、電源入力部２０５、画像送信部２０６、通信部２０７、ＲＡＭ２０８、ＨＤＤ２０９を有する。
【００４６】
制御部２０１は、ＰＣ２００の各機能部を制御する。
光学ドライブ２０２は、光学メディアからデータの読み出しや書き出しなどを行う。
【００４７】
操作部２０３は、ＰＣ２００の電源制御、リセットなどの操作を行うためボタンなどで構成される部位である。
電源部２０４は、制御部２０１の指示に基づき各部へ電源を供給する。
電源入力部２０５は、外部からの交流電力を受け入れ、所定の電圧に整流して電源部２０４に供給する。
【００４８】
画像送信部２０６は、制御部２０１が生成した画像を所定の形式で画像信号として送信する。本実施形態では、画像送信部２０６は、画像信号をプロジェクタ１００の画像入力部１１１〜１１３のいずれかに送信する。
【００４９】
通信部２０７は、イントラネット、インターネットから画像データ、画像データ、画像ファイルなどの各種の情報データのファイル、その他の命令信号を送受信する。通信部２０７は、例えば、有線ＬＡＮや無線ＬＡＮなどで構成されている。
【００５０】
ＲＡＭ２０８は、ＨＤＤ２０９に記憶されているプログラム、各種データの展開などに使用される。
ＨＤＤ２０９（Ｈａｒｄ  Ｄｉｓｋ  Ｄｒｉｖｅ）は、ＯＳ（Ｏｐｅｒａｔｉｎｇ  Ｓｙｓｔｅｍ）を始めとする各種プログラム、ドキュメント、画像、画像コンテンツなどの各種情報を保存するための記憶装置である。
【００５１】
［画像表示処理の説明］
以下にて、複数の画像信号に基づいた統合画像５００をプロジェクタ１００が表示する
までの処理について、図４が示すプロジェクタ１００とＰＣ２００の動作フローチャートを用いて説明する。
【００５２】
ここでは、プロジェクタ１００とＰＣ２００Ａ〜ＰＣ２００Ｄのそれぞれは、ＨＤＭＩケーブルによって接続されており、ＨＤＭＩ規格で規定された制御により画像表示がされている。なお、プロジェクタ１００による画像表示処理は、ＰＣ２００Ａ〜ＰＣ２００Ｄのいずれからの画像信号が入力された場合にも、同様の制御を行うため、ここでは１台のＰＣ２００を例に説明する。
【００５３】
なお、当該フローチャートの処理は、プロジェクタ１００とＰＣ２００がＨＤＭＩケーブルで接続された後に実行開始される。なお、本フローチャートでは、プロジェクタ１００の画像入力部１１０〜１１３のうち、画像入力部１１１が画像信号を受信する場合について説明する。また、Ｓ１００１〜Ｓ１００８の処理はプロジェクタ１００が実行する処理であり、Ｓ２００１〜Ｓ２００５の処理はＰＣ２００が実行する処理である。また、プロジェクタ１００が実行する処理は、内部メモリ１３４に記憶されたプログラムに基づいて制御部１０１が各機能部を制御することによって実現される。ＰＣ２００が実行する処理は、ＨＤＤ２０９に記憶されたプログラムに基づいて制御部２０１が各機能部を制御することによって実現される。
【００５４】
Ｓ２００１にて、ＰＣ２００の画像送信部２０６は、プロジェクタ１００の画像入力部１１１とＨＤＭＩケーブルで接続されると、ＨＤＭＩケーブル内の５Ｖパワーラインを介して、プロジェクタ１００に５Ｖの電源を供給する。
【００５５】
Ｓ１００１にて、画像入力部１１１は、ＨＤＭＩケーブル内の５Ｖパワーラインを介して、ＰＣ２００から５Ｖの電源が出力されたことを検知する。
【００５６】
Ｓ１００２にて、画像入力部１１１は、ＨＤＭＩケーブル内のＨＰＤ（Ｈｏｔ  Ｐｌｕｇ  Ｄｅｔｅｃｔ）ラインを介して、ＰＣ２００にＨＰＤを通知（アサート）する。
【００５７】
Ｓ２００２にて、画像送信部２０６は、ＨＤＭＩケーブル内のＨＰＤラインを介して、画像入力部１１１がＨＰＤを通知（アサート）したことを検出する。
【００５８】
Ｓ２００３にて、画像送信部２０６は、ＤＤＣラインを介してＥＤＩＤを要求する。
Ｓ１００３にて、画像入力部１１１は、ＰＣ２００から受信するＥＤＩＤ要求に応答して、内部に保持するＥＤＩＤをＤＤＣラインを介してＰＣ２００に通知する。
【００５９】
Ｓ２００４にて、画像送信部２０６は、受信したＥＤＩＤを読み出す。
Ｓ２００５にて、画像送信部２０６は、受信したＥＤＩＤの内容に基づいて、出力する画像信号のフォーマットを決定し、当該フォーマットに応じた画像信号を画像入力部１１１に送信する。
Ｓ１００４にて、画像入力部１１１はＰＣ２００から送信される画像信号を受信する。
【００６０】
Ｓ１００５にて、画像入力部１１１は、画像信号制御部１３５に画像信号を出力する。画像信号制御部１３５は、画像信号に重畳された画像フォーマットデータ、各種メタデータを読み出し、内部に保持するレジスタへ書き出す。ここで、画像信号に重畳される情報は、画像のフォーマットコード、色空間、ピクセルエンコード方式、カラリメトリ、ピクチャアスペクト比、量子化レンジ、ベンダー固有情報などである。さらには、画像信号に重畳される情報は、ＨＤＲ（Ｈｉｇｈ  Ｄｙｎａｍｉｃ  Ｒａｎｇｅ）方式、およびＨＤＲ方式に基づく輝度情報などを含んでいてもよい。
【００６１】
Ｓ１００６にて、画像信号制御部１３５は、画像処理部１１８が受信可能な形式に画像信号を変換する。さらには、制御部１０１の制御によって画像信号制御部１３５は、同期信号の制御などを行う。同期信号の制御については、画像信号制御部１３５の内部構成や別のフロー図を用いて、後述にて詳細に説明する。
【００６２】
Ｓ１００７にて、画像信号制御部１３５は、画像処理部１１８に画像信号を出力する。このとき、画像処理部１１８は、画像入力部１１０〜１１３のそれぞれが画像信号を取得しているため、複数の画像信号を取得する。画像処理部１１８は、所定のレイアウトによって複数の画像信号を合成（統合）し、液晶部１０４に適した解像度に変換して、必要に応じて、ガンマ補正や輝度ムラ対策用補正、キーストーン補正を加える。
【００６３】
Ｓ１００８にて、画像処理部１１８が補正を加えた画像信号は、液晶駆動部１０５によって液晶部１０４に画像として形成され、光源１０６から発せられた光により投影光学系１０７に導かれる。これによって、投影光学系１０７は、スクリーン６００への統合画像５００の投影を開始する。
【００６４】
［画像表示のレイアウト］
次に、画像処理部１１８が、プロジェクタ１００へ入力される画像信号の数に応じて、画像信号を結合する際、つまり、画像を表示する際のレイアウト（表示レイアウト）について説明する。
【００６５】
入力された画像信号を用いたレイアウトを決定するためのメニュー画面について、図５を用いて説明する。なお、プロジェクタ１００が、投影画像５１０として、ＭＥＮＵ７００を含むメニュー画面をスクリーン６００に表示する。なお、メニュー画面は、スクリーン６００に表示されることに限らず、表示部１２８に表示されてもよい。
【００６６】
ＭＥＮＵ７００は、表示に用いる画像信号に対応する画像入力部の選択、およびレイアウトを、プロジェクタ１００にユーザが設定するためのメニューである。ＭＥＮＵ７００は、レイアウトを示す選択項目７０１〜７０７、カーソル７１０を含む。ここで、カーソル７１０は、選択項目７０１〜７０７のうちのいずれかを示し、カーソル７１０が示す選択項目がユーザに選択されていることを示す。なお、カーソル７１０は、操作部１０２に対するユーザ操作によって、位置の変更が可能である。
【００６７】
選択項目７０１〜７０４は、画像入力部１１０〜１１３のいずれかが受信する１つの画像信号によって画像を表示するレイアウトを選択する項目である。つまり、選択項目７０１〜７０４がユーザによって選択されると、画像入力部１１０〜１１３のいずれかに入力される画像信号に基づいて画像を表示するレイアウトが選択される。
【００６８】
選択項目７０１は、画像入力部１１０に入力される画像信号のみを画像の表示に用いるレイアウトを示す。
選択項目７０２は、画像入力部１１１に入力される画像信号のみを画像の表示に用いるレイアウトを示す。
【００６９】
選択項目７０３は、画像入力部１１２に入力される画像信号のみを画像の表示に用いるレイアウトを示す。
選択項目７０４は、画像入力部１１３に入力される画像信号のみを画像の表示に用いるレイアウトを示す。
【００７０】
選択項目７０５〜７０７は、複数の画像入力部に入力される画像信号を統合して画像を表示するレイアウトを選択するための選択項目である。
選択項目７０５は、画像入力部１１０，１１２に入力される２つの画像信号を結合して画像を表示するレイアウトを示す。
選択項目７０６，７０７は、画像入力部１１０〜１１３に入力される４つの画像信号を結合して画像を表示するレイアウトを示す。
【００７１】
ここで、選択項目７０５〜７０７が選択された場合の統合画像５００のレイアウトについて、図６（Ａ）、図６（Ｂ）および図１を用いて説明する。
【００７２】
選択項目７０５が選択されると、画像入力部１１０，１１２に入力される画像信号に基づいた統合画像５００が表示される。より詳細には、図６（Ａ）が示すように、部分画像５０１および部分画像５０３が左右に配置された構成（２列×１行の構成）のレイアウトによって、統合画像５００が表示される。
【００７３】
選択項目７０６が選択されると、画像入力部１１０〜１１３に入力される画像信号に基づいた統合画像５００が表示される。より詳細には、図１が示すように、部分画像５０１〜部分画像５０４が上下左右に配置された構成（２列×２行の構成）のレイアウトによって統合画像５００が表示される。
【００７４】
選択項目７０７が選択されると、画像入力部１１０〜１１３に入力される画像信号に基づいた統合画像５００が表示される。より詳細には、図６（Ｂ）が示すように、部分画像５０１〜部分画像５０４が左右方向の１行に並ぶように配置された構成（４列×１行の構成）のレイアウトによって表示される。
【００７５】
なお、制御部１０１は、選択項目７０１〜７０７のいずれが選択されたかを示す情報（いずれのレイアウトが選択されたかを示す情報）をレイアウト情報としてＲＡＭ１１７に記憶させておく。
【００７６】
［画像信号制御部の内部構成］
画像信号制御部１３５，１３６の詳細な内部構成について、図７の内部構成図を用いて説明する。なお、上述のように、画像信号制御部１３５と画像信号制御部１３６とは、同様の構成であるため、以下では、画像信号制御部１３５について説明する。画像信号制御部１３５は、第１制御部群１３５０Ａと第２制御部群１３５０Ｂとによって構成され、画像入力部１１０，１１１から受信する画像信号を処理する。
【００７７】
第１制御部群１３５０Ａは、画像入力部１１０から受信する画像信号を制御する。第１制御部群１３５０Ａは、デコード部１３５１、メタデータ取得部１３５２、ベースバンド信号生成部１３５３、ＤＥ信号制御部１３５４、レジスタ１３５５とを有する。
【００７８】
第２制御部群１３５０Ｂは、画像入力部１１１から受信する画像信号を制御する。第２制御部群１３５０Ｂは、デコード部１３５６、メタデータ取得部１３５７、ベースバンド信号生成部１３５８、ＤＥ信号制御部１３５９、レジスタ１３６０とを有する。
【００７９】
なお、第１制御部群１３５０Ａと第２制御部群１３５０Ｂとのそれぞれの機能部は、同名であれば同様の処理を行う。このため、以下では、第１制御部群１３５０Ｂが有する、デコード部１３５６、メタデータ取得部１３５７、ベースバンド信号生成部１３５８、ＤＥ信号制御部１３５９、レジスタ１３６０について説明する。
【００８０】
デコード部１３５６は、画像入力部１１１から所定の形式によって受信する画像信号をデコード（復号）する。具体的には、デコード部１３５６は、Ｒ（ＴＭＤＳ＿ＤＡＴＡ（Ｒ）；赤）、Ｇ（ＴＭＤＳ＿ＤＡＴＡ（Ｇ）；緑）、Ｂ（ＴＭＤＳ＿ＤＡＴＡ（Ｂ）；青
）の３つのデータ（画像データ）およびクロックデータ（ＴＭＤＳ＿ＣＬＫ）を含む画像信号を受信する。さらに、デコード部１３５６は、画像入力部１１１によってＴＭＤＳ方式に基づいてエンコード（符号化）された画像信号に対して、デコードする。
【００８１】
メタデータ取得部１３５７は、デコード部１３５６によりデコードされた画像信号からメタデータを取得し、レジスタ１３６０に書き出す。なお、メタデータ取得部１３５７は、有効な画像データ以外が出力される期間を示すブランキング期間に重畳されるメタデータを取得できる。さらに、メタデータ取得部１３５７は、有効な画像データが出力される期間を示すデータイネーブル（ＤＥ）期間（有効期間；映像有効期間）に重畳されるメタデータを取得することも可能である。
【００８２】
具体的には、メタデータ取得部１３５７は、メタデータであることを示すヘッダ情報に相当するデータを常に監視する。メタデータ取得部１３５７は、当該ヘッダ情報を受信したことを判定した後、所定サイズ、またはヘッダ情報に含まれるサイズ情報に基づいてメタデータの取得を行う。
【００８３】
また、メタデータ取得部１３５７は、ＤＥ期間に重畳されるメタデータを取得した場合、当該メタデータが重畳されている期間に対応するデータを、全て黒を示す画像データに置換する。例えば、メタデータ取得部１３５７は、ＤＥ期間の１ライン目に所定のデータフォーマットでメタデータが重畳されている場合には、当該１ライン目に対応するデータを、黒を示す画像データに置換する。ここで、「１ライン目」とは、画像を表示する場合における画像の走査線の上から１行目に対応する。
【００８４】
なお、メタデータ取得部１３５７は、画像信号のタイミング情報、フォーマットコード、色空間、ピクセルエンコード方式、カラリメトリ、ピクチャアスペクト比、量子化レンジ、ベンダー固有情報を画像信号から取得可能である。さらに、メタデータ取得部１３５７は、ＨＤＲ（Ｈｉｇｈ  Ｄｙｎａｍｉｃ  Ｒａｎｇｅ）方式、およびＨＤＲ方式に基づく輝度情報などを画像信号から取得することが可能である。
【００８５】
また、メタデータ取得部１３５７は、ＤＥ期間に重畳されるメタデータを取得した場合、レジスタ１３６０に対して、取得したメタデータ（Ｍ＿ＤＡＴＡ）を書き出す。このとき、メタデータ取得部１３５７は、ＤＥ信号制御部１３５９に、ＤＥ期間に重畳されたメタデータを取得した旨を示す信号（ＤＥＴ＿Ｍ＿ＤＡＴＡ）を出力する。
【００８６】
ベースバンド信号生成部１３５８は、メタデータ取得部１３５７が取得した各種情報に基づいて、新たに画像信号を出力する。出力される画像信号には、ＲＧＢの画像データ（Ｖ＿ＤＡＴＡ）、ピクセルクロック（ＰＩＸ＿ＣＬＫ）、水平同期信号（Ｈ＿ＳＹＮＣ）、垂直同期信号（Ｖ＿ＳＹＮＣ）、ＤＥ信号（ＤＥ＿ＳＹＮＣ）が含まれる。
【００８７】
ＤＥ信号制御部１３５９は、メタデータを取得した旨を示す信号（ＤＥＴ＿Ｍ＿ＤＡＴＡ）が入力されているか否かに応じて、出力するＤＥ信号を制御する。ＤＥ信号制御部１３５９は、メタデータを取得した旨を示す信号が入力されている場合には、入力されたＤＥ信号（ＤＥ＿ＳＹＮＣ）を１ライン分遅延させたＤＥ信号（ＤＥ＿ＳＹＮＣ＿ＭＯＤ）を画像処理部１１８に出力する。つまり、ＤＥ信号制御部１３５９は、ＤＥ期間の開始が１ライン分遅れるようにＤＥ信号を制御して出力する。なお、ＤＥ信号制御部１３５９は、ＲＧＢの画像データ（Ｖ＿ＤＡＴＡ）、ピクセルクロック（ＰＩＸ＿ＣＬＫ）、水平同期信号（Ｈ＿ＳＹＮＣ）、垂直同期信号（Ｖ＿ＳＹＮＣ）などの他の信号は、遅延させずに出力する。これにより、画像信号に基づいた部分画像の表示位置が１ライン分上に移動する。なお、ＤＥ信号制御部１３５９は、メタデータを取得した旨を示す信号が入力されていない場合には、ＤＥ信号（ＤＥ＿ＳＹＮＣ）を遅延させる処理は行わない。
【００８８】
なお、ＤＥ信号を遅延させることによって生じるＤＥ期間の最後の１ライン分は、遅延が行われなければ画像の表示に用いられることのないブランキング期間に該当する。そのため、ＤＥ信号制御部１３５９は、当該遅延を行う場合には、遅延されたＤＥ期間における最後の１ライン分のデータを黒などの固定色を示す画像データに変換する。なお、固定色は、黒に限らず、白や灰色などでもよく、例えば、スクリーン６００の色に応じた色であってもよい。
【００８９】
ＤＥ信号制御部１３５９は、画像信号として、ＲＧＢの画像データ（Ｖ＿ＤＡＴＡ）、ピクセルクロック（ＰＩＸ＿ＣＬＫ）、水平同期信号（Ｈ＿ＳＹＮＣ）、垂直同期信号（Ｖ＿ＳＹＮＣ）、ＤＥ信号（ＤＥ＿ＳＹＮＣ＿ＭＯＤ）を出力する。ここでは、例えば、ＤＥ信号制御部１３５９は、ＲＡＭ１１７の所定のアドレスに画像信号を記憶することによって、画像処理部１１８に当該画像信号を出力する。
【００９０】
これらの処理によって、ＤＥ信号制御部１３５９は、画像入力部１１１が受信した画像信号に基づいた画像の表示位置を制御し、さらに、当該画像が表示されない領域の一部を固定色に変換する。よって、本実施形態では、ＤＥ信号制御部１３５９は、表示制御手段であるといえる。
【００９１】
また、ＤＥ信号制御部１３５９は、例えば、レジスタ１３６０によって有効化、無効化の制御が行われる。これは、制御部１０１などがレジスタ１３６０に有効化、無効化いずれかを示す情報を書き出しておく。そして、有効化、無効化のいずれかを示す信号（ＤＥ＿ＣＴＲＬ＿ＥＮ）がレジスタ１３６０からＤＥ信号制御部１３５９へ出力され、ＤＥ信号制御部１３５９は、当該信号に基づいて、ＤＥ信号制御の有効（実施）または無効（非実施）を切り替える。
【００９２】
［同期信号］
以下にて、上述した同期信号について、図８が示す信号のパルス波形を用いて詳細に説明する。
【００９３】
図８において、Ｖ＿ＳＹＮＣ、Ｈ＿ＳＹＮＣ、ＤＥ＿ＳＹＮＣのそれぞれは、ＤＥ信号制御部１３５９に入力される、垂直同期信号、水平同期信号、ＤＥ信号である。なお、Ｖ＿ＳＹＮＣおよびＨ＿ＳＹＮＣは、ＤＥ信号制御部１３５９が出力する場合も同様の波形を示す。一方、ＤＥ＿ＳＹＮＣ＿ＭＯＤは、ＤＥ信号制御部１３５９によってＤＥ信号制御が行われた後のＤＥ信号である。
【００９４】
ここで、図８が示す各信号において、横方向は時間を示しており、右の位置ほど時間が経過していることを示す。また、各信号の縦方向は信号の電圧の大きさを示し、各信号が上の位置にある場合には「オン」を示し、各信号が下の位置がある場合には「オフ」を示している。
【００９５】
なお、Ｖ＿ＳＹＮＣが「オン」を示すような期間は、画像を切り替える１ライン（走査線）が上から１ライン目に移動するタイミングを示す。Ｈ＿ＳＹＮＣが「オン」を示すような期間は、画像を切り替える１ライン（走査線）を下に移動するタイミングを示す。ＤＥ信号が、「オン」を示すような期間が、画像の１ライン分を表示するタイミングを示す。
【００９６】
ここで、ＤＥ信号制御部１３５９から出力されるＤＥ信号であるＤＥ＿ＳＹＮＣ＿ＭＯＤは、ＤＥ信号制御部１３５９に入力されるＤＥ信号であるＤＥ＿ＳＹＮＣより、Ｈ＿ＳＹＮＣ１周期分（１ライン分）遅延したタイミングで出力されている。
【００９７】
従って、本制御によれば、ＤＥ期間にメタデータが重畳された場合には、有効な画像データの伝送タイミングを示すデータイネーブル（ＤＥ）期間の開始が１ライン分遅れる。このことにより、１ライン目が黒を示す画像データである画像信号によって画像を表示するための処理を画像処理部１１８が行うことを防止できる。
【００９８】
［画像信号制御；Ｓ１００６］
以下にて、Ｓ１００６にて行われる画像信号制御の詳細について、図９（Ａ）が示すフローチャートを用いて説明する。なお、ここでは、最初の画像ラインにメタデータが重畳された画像信号が、画像入力部１１０〜１１３のそれぞれに入力されていると仮定する。
【００９９】
なお、以下では、画像入力部１１１に入力された画像信号に対する処理について説明するが、画像入力部１１０〜１１３のいずれに入力された画像信号に対しても共通に適用可能である。
【０１００】
Ｓ３００１にて、制御部１０１は、２列×２行のレイアウトに相当する選択項目７０６が選択されているか否か判定する。選択項目７０６が選択されていると判定されると、Ｓ３００２に遷移し、それ以外の場合には、本フローチャートにおける全ての処理が終了する。
【０１０１】
なお、この判定については、例えば、選択項目７０１〜７０７のいずれかがユーザにより選択された際、制御部１０１は、選択された選択項目を示す情報をＲＡＭ１１７に書き出しておく。そして、Ｓ３００１にて、制御部１０１は、当該情報を読み出すことで、選択項目７０６が選択されているか否かを判定する。なお、当該判定をするための方法については、これに限定されるものではなく、異なる方法を採用してもよい。
【０１０２】
Ｓ３００２にて、制御部１０１は、処理対象の画像信号に基づいた画像の、統合画像５００（表示面）における他の画像との位置関係を判定する。より詳細には、制御部１０１は、当該画像信号に基づいた画像が、他の画像信号に基づいた画像の下に表示されるか否かを判定する。つまり、制御部１０１は、２列×２行のレイアウトにおいて、下側に位置する部分画像５０２または部分画像５０４を表示するための画像信号に、処理対象の画像信号が対応するか否かの判定を行う。位置が下側にあるとは、処理対象の画像信号の有効期間の最初に対応する１ラインが、当該画像信号に基づいた部分画像における他のラインよりも、他の部分画像の近くにあるともいえる。位置が下側であると判定されると、Ｓ３００３に遷移して、それ以外の場合には、本フローチャートにおける全ての処理が終了する。
【０１０３】
当該判定に関して、画像入力部１１０〜１１３のそれぞれについて、２列×２行のレイアウトにおける位置の割り当て情報を内部メモリ１３４などに予め記憶しておく。そして、制御部１０１が、当該情報を参照することによって、画像入力部１１１に対応する部分画像が下側に位置するか否かを判定するなどの方法がある。なお、本実施形態では、画像入力部１１１が受信した画像信号は上述のように部分画像５０２として配置されているため、画像入力部１１１が受信した画像信号は下側に配置されると判定されて、Ｓ３００３へ遷移する。
【０１０４】
Ｓ３００３にて、制御部１０１は、ＤＥ期間にメタデータが重畳されている（含まれている）か否かを判定する。より詳細には、制御部１０１は、ＤＥ期間内に重畳されたメタデータがレジスタ１３６０の所定のアドレスに書き出されているか否かを、レジスタ１３６０からデータを読み出すことによって判定する。制御部１０１は、読み出した結果、ＤＥ期間内のメタデータが重畳されていると判定すると、ＤＥ信号制御を有効化するように
レジスタ１３６０を書き換え、レジスタ１３６０はＤＥ信号制御部１３５９にＤＥ＿ＣＴＲＬ＿ＥＮ信号を出力する。それ以外の場合には、本フローチャートにおける全ての処理が終了する。従って、本実施形態では、制御部１０１は、画像信号のＤＥ期間内にメタデータが含まれているか否かを判定する判定手段でもあるといえる。
【０１０５】
Ｓ３００４にて、ＤＥ信号制御部１３５９は、ＤＥ＿ＣＴＲＬ＿ＥＮ信号を受け、メタデータ取得部１３５７から出力される信号（ＤＥＴ＿Ｍ＿ＤＡＴＡ）に応じて、画像処理部１１８へ出力するＤＥ信号（ＤＥ＿ＳＹＮＣ＿ＭＯＤ）を出力する。このとき、ＤＥ信号制御部１３５９は、入力されたＤＥ信号（ＤＥ＿ＳＹＮＣ）を１ライン分遅らせたＤＥ信号（ＤＥ＿ＳＹＮＣ＿ＭＯＤ）を出力するようにタイミング制御する。これにより、ＤＥ期間の開始が１ライン分遅延する（変更される）。また、ＤＥ信号制御部１３５９は、当該遅延を行う場合には、遅延されたＤＥ期間における最後の１ライン分のデータを黒などの固定色を示す画像データに変換する。
【０１０６】
タイミング制御の具体例として、例えば、ＤＥ信号制御部１３５９は、入力される垂直同期信号、ＤＥ信号（ＤＥ＿ＳＹＮＣ）のエッジを用いて、水平バックポーチ期間に相当する水平同期信号のパルス発生回数をカウントする。そして、ＤＥ信号制御部１３５９は、カウントした回数に１を加算するタイミングで、ＤＥ信号（ＤＥ＿ＳＹＮＣ＿ＭＯＤ）を出力するよう制御する。
【０１０７】
このように、制御部１０１は、画像入力部１１０，１１３が取得した画像信号に対して、ＤＥ信号のタイミング制御を適用する。これにより、１ライン分の遅延制御が行われたＤＥ信号（ＤＥ＿ＳＹＮＣ＿ＭＯＤＥ）が画像処理部１１８に入力される。そして、画像処理部１１８は、各画像信号のＤＥ信号に基づいて統合画像５００のレイアウト制御を行う。
【０１０８】
図１０（Ａ）、図１０（Ｂ）のそれぞれは、ＤＥ信号を遅延させるＤＥ信号制御の実施時および非実施時の統合画像５００を示す図である。なお、図１０（Ａ）、図１０（Ｂ）はそれぞれ、各部分画像に対応した横７ピクセル、縦６ピクセル分の表示領域に対して、１つの部分画像あたりの画素数を横７ピクセル、縦５ラインとして簡略化した図である。ここで、表示領域とは、対応する部分画像を表示することが可能な範囲であるといえる。なお、統合画像５００において、黒によって表示されているライン部分は、ＰＣ２００が入力した画像信号を表現するものではないため、部分画像のいずれの一部でもない。
【０１０９】
ＤＥ信号制御が実施されない場合には、図１０（Ａ）が示すように上側の２つの部分画像と下側の２つの部分画像との間に、黒データに置換された１ライン分が挟まる表示がされる。この結果、部分画像間の境界が際立って見えてしまう。
【０１１０】
これに対して、ＤＥ信号制御を実施する場合は、図１０（Ｂ）に示すように上側の２つの部分画像と下側の２つの部分画像との間に、黒データに置換された１ライン分が挟まることなく表示される。従って、部分画像間の境界が目立つことなく表示される。なお、下側の部分画像に対応する表示領域のうち、上側の部分画像と最も離れた１つのラインが黒色（固定色）で表示されている。
【０１１１】
このように、本実施形態では、ＤＥ信号制御部１３５９は、Ｓ３００４にて、表示領域の内部（表示領域内）において部分画像の表示位置を移動している。より詳細には、ＤＥ信号制御部１３５９は、下部に位置する部分画像が１ライン分上に移動するように制御して、部分画像が他の部分画像と連続的に繋がるように表示させる。なお、表示領域において第１画像が表示されない領域には、固定色である黒によって表示される。
【０１１２】
以上のように、本実施形態に係るプロジェクタは、統合画像における他の画像との位置関係、ＤＥ期間内（有効期間内）のメタデータ有無に応じて、ＤＥ信号を制御する。このことにより、画像の上側と下側との間で黒ラインを挟むことなく、画像を表示することができる。このため、分割された画像間の境界が強調されて表示されることを回避することができる。従って、より高品質に、複数の画像が統合された画像を表示することができる。
【０１１３】
＜実施形態２＞
実施形態１では、プロジェクタ１００は、画像信号制御部１３５においてＤＥ信号を制御することにより、画像の上側下側間で黒ラインを挟むことなく画像を表示した。一方、本実施形態では、フレームメモリに相当するＲＡＭ１１７から画像データ（画像信号）を画像処理部１１８が読み出すときのリードアドレスを制御することによって、統合画像の上側下側間で黒ラインを挟むことなく表示する。ここで、画像信号制御部１３５が、ＲＡＭ１１７に画像信号を記憶させることによって、画像処理部１１８に画像信号を出力している。
【０１１４】
本実施形態は、上述したＳ１００６の同期信号の制御に関する処理のみを、実施形態１から変更する。以下では、Ｓ１００６の同期信号の制御の処理について、図９（Ｂ）が示すフローチャートを用いて説明する。従って、実施形態１における図９（Ａ）が示すフローチャートの処理の代わりに、本実施形態では、図９（Ｂ）が示すフローチャートの処理が行われる。また、ここでは、画像入力部１１１に入力される画像信号に対する処理について説明する。
【０１１５】
Ｓ４００１にて、制御部１０１は、Ｓ３００３と同様に、ＤＥ期間内のメタデータ有無を判定する。なお、メタデータ取得部１３５７が、画像入力部１１１から入力される画像に対してＤＥ期間内に重複された、メタデータを取得する。
【０１１６】
ＤＥ期間内に重畳されるメタデータがないと判定された場合には、本フローチャートにおける全ての処理が終了する。一方、ＤＥ期間内に重畳されるメタデータがあると判定された場合には、Ｓ４００２に遷移する。
【０１１７】
Ｓ４００２にて、制御部１０１は、Ｓ３００１と同様に、レイアウトが２列×２行に相当する選択項目７０６が選択されているか否か判定する。選択項目７００が選択されていると判定されると、Ｓ４００３に遷移し、それ以外の場合には、本フローチャートにおける全ての処理が終了する。
【０１１８】
Ｓ４００３にて、制御部１０１は、液晶駆動部１０５に画像信号を出力するために、フレームメモリであるＲＡＭ１１７から画像処理部１１８が画像信号を読み出すアドレスを制御する。具体的には、制御部１０１は、画像データの２ライン目の先頭を指し示す位置に読み出すアドレスを指定する。このことにより、黒データに置換された１ライン目ではなく、２ライン目以降を先頭ラインにして、画像処理部１１８が液晶駆動部１０５に画像信号を出力する。これによれば、プロジェクタ１００は、実施形態１と同様に、ＤＥ期間と画像データとの対応を変更することができる。
【０１１９】
制御部１０１は、例えば、ラスタスキャンを前提としてフレームメモリ上に配置された画像データに対し、１ライン分の画素数に相当するメモリ領域の次の物理アドレスを、読み出しの開始位置に指定する。そして、制御部１０１は、画像の１フレームを示す２次元の座標値を画像処理部１１８が持つレジスタに書き出すことによって、指定された座標値から物理アドレスに置換する機能を有する内部回路を介して画像処理部１１８に対してアドレスを指示する。なお、制御部１０１が２ライン目以降を画像処理部１１８に出力させ
るよう指示する方法については、これらに限定されるものではなく、異なる方法を採用してもよい。
【０１２０】
なお。Ｓ３００４において、制御部１０１は、アドレス変換後のＤＥ期間における最後の１ライン分のデータを黒などの固定色を示す画像データに変換する。これにより、図１０（Ｂ）が示すように、統合画像５００の下の領域を黒くすることができる。このような処理によって、制御部１０１は、画像入力部１１１が受信した画像信号に基づいた画像の表示位置を制御し、さらに、当該画像が表示されない領域の一部を固定色に変換する。よって、本実施形態では、制御部１０１は、表示制御手段であるといえる。
【０１２１】
なお、上述のような実施形態２ではなく、実施形態１における図９（Ａ）が示すフローチャートのうち、Ｓ３００４の処理の代わりにＳ４００３の処理を実施するような形態であってもよい。
【０１２２】
このように、ＤＥ期間内のメタデータの有無に基づいてフレームメモリから出力する画像について２ライン目以降が出力されるよう制御することによって、画像の上側下側間で黒ラインを挟むことなく連続して（連続的に）表示することができる。ここで、本実施形態では、制御部１０１が、画像信号を読み出すフレームメモリにおける位置を変更することによって、画像の表示位置を制御している。これにより、境界が強調されることを回避することができるため、より高品質な画像を表示することができる。
【０１２３】
以上、本発明の好ましい実施形態について説明したが、本発明はこれらの実施形態に限定されず、その要旨の範囲内で種々の変形および変更が可能である。なお、上述では、表示装置としてプロジェクタを例としたが、プロジェクタに限らず、ＬＥＤディスプレイなど、画像を表示することができれば任意の表示装置でよい。また、表示装置ではなく、画像を表示する表示部を制御する表示制御装置（表示制御方法）としても本発明は適用が可能である。つまり、プロジェクタ１００のうち光源１０６、液晶部１０４、投影光学系１０７を含まないような表示制御装置であってもよい。なお、上述では、スクリーン６００において上下左右の４箇所に部分画像を表示する例を説明したが、例えば、上下の２箇所に部分画像を表示する場合にも、２つの部分画像の境界に黒ラインが表示されることがあり得る。従って、このような場合にも、スクリーン６００において下部に表示される部分画像に対して、本発明を適用して、表示位置の制御を行うことで、上述した効果と同様の効果を得られる。また、上述では、複数のＰＣによって、複数の画像信号がプロジェクタに入力される例を説明したが、１つのＰＣが複数のケーブルを用いて、複数の画像信号をプロジェクタに入力する例でも同様に本発明を適用可能である。また、プロジェクタが上述の構成を備えない場合には、ＰＣが、スクリーンの下部に表示する画像の画像信号には有効期間の最後にメタデータを重畳し、上部に表示する画像の画像信号には有効期間の最初にメタデータを重畳するようにしてもよい。
【０１２４】
なお、上記の各実施形態や各変形例の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰなどのハードウェアによって実現されてもよいし、そうでなくてもよい。例えば、装置が、プロセッサと、制御プログラムが格納されたメモリ（記憶媒体）とを有していてもよい。そして、装置が有する少なくとも一部の機能部の機能が、プロセッサがメモリから制御プログラムを読み出して実行することにより実現されてもよい。
【０１２５】
（その他の実施形態）
本発明は、上記の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２６】
１００：プロジェクタ、１０１：制御部、１１０〜１１３：画像入力部、
１３５〜１３６：画像信号制御部、１３５４，１３５９：ＤＥ信号制御部
【図１】
2020173353.tif 000003
【図２】
2020173353.tif 000004
【図３】
2020173353.tif 000005
【図４】
2020173353.tif 000006
【図５】
2020173353.tif 000007
【図６】
2020173353.tif 000008
【図７】
2020173353.tif 000009
【図８】
2020173353.tif 000010
【図９】
2020173353.tif 000011
【図１０】
2020173353.tif 000012